(57)【要約】      （修正有）【課題】作業性の向上と表示素子の視認性の向上を図る端末器を提供する。【解決手段】操作用端末器１は、器体１０と、器体１０に収納されるプリント配線板４とを備える。プリント配線板４は、スイッチ４１と、表示素子４２１，４２２とが実装される。器体１０は、表示素子４２１，４２２と対向する位置に開口部５３が設けられる。開口部５３とプリント配線板４との間には、隔壁が設けられる。隔壁は、両端が開口した筒状に形成され、一方の開口端が開口部５３と対向し、且つ他方の開口端が表示素子４２１，４２２と対向するように設けられる。【選択図】図１
2015173346.tif 000002
【特許請求の範囲】
【請求項１】
信号線を介して伝送処理装置に各別のアドレスを有する複数の端末器を接続し、スイッチの操作によって生成した操作データを前記端末器から前記伝送処理装置に伝送し、前記伝送処理装置は、前記操作データを基に生成した制御データを他の前記端末器に伝送して前記端末器に接続される負荷を制御し、前記操作データを伝送した端末器は、前記負荷の状態を基に前記スイッチに対応する表示素子を制御する遠隔監視制御システムに用いられる端末器であって、器体と、前記器体に収納されるプリント配線板とを備え、前記プリント配線板は、前記スイッチと、前記表示素子とが実装され、前記器体は、前記表示素子と対向する位置に開口部が設けられ、且つ前記開口部と前記プリント配線板との間に隔壁が設けられ、前記隔壁は、両端が開口した筒状に形成され、一方の開口端が前記開口部と対向し、且つ他方の開口端が前記表示素子と対向することを特徴とする端末器。
【請求項２】
前記器体の外から前記開口部を塞ぎ、且つ前記表示素子の光が透過する保護カバーを備え、前記保護カバーは、透光性材料からなるベースと、前記ベースの一方の面に設けられた印刷層と、前記印刷層を覆う透光性のある保護層とを有し、前記ベースは、前記印刷層との反対面に光を拡散させる拡散層が設けられ、前記保護カバーは、前記拡散層側で前記器体に取り付けられていることを特徴とする請求項１記載の端末器。
【発明の詳細な説明】
【技術分野】
【０００１】
本発明は、端末器に関するものである。
【背景技術】
【０００２】
従来、伝送処理装置と、操作用端末器と、制御用端末器とが２本の信号線によって接続されている遠隔監視制御システムが提供されている（例えば特許文献１参照）。この遠隔監視制御システムでは、各操作用端末器と制御用端末器とには、固有のアドレスが割り当てられている。
【０００３】
操作用端末器は、複数個のスイッチを備え、前記スイッチの押下等の状態の変化により、その情報を操作データとして伝送処理装置に送信する。
【０００４】
伝送処理装置は、操作用端末器と制御用端末器とを個別にアクセスし、操作用端末器からの操作データを受信する。更に、伝送処理装置は、操作データを発生した操作用端末器とアドレスによる対応関係があらかじめ設定されている制御用端末器に対して、制御データを送信する。
【０００５】
制御用端末器は、リレーを内蔵しており、伝送処理装置から制御用データを受信すると、前記リレーをオフ又はオンして負荷を制御する。
【０００６】
操作用端末器及び制御用端末器は、伝送信号等を送受信する送受信回路部と、スイッチの操作状態を監視したり、リレーの制御などを行う端末処理部と、合成樹脂製の器体などを備える。なお、端末処理部や、送受信回路部、および表示素子は、プリント配線板に集積回路等が実装されることによって実現される。
【０００７】
操作用端末器のプリント配線板には、スイッチ、表示素子として発光ダイオード（ＬＥＤ）などが実装されている。表示素子は、各スイッチに対してオンを表す赤色ＬＥＤとオフを表す緑色ＬＥＤの２種類が設けられている。表示素子は、スイッチが押下されると、制御用端末器に接続されている負荷の制御状態に対応して点灯または消灯する。なお、スイッチと負荷は、伝送処理装置により対応づけられている。
【０００８】
前記２種の表示素子は、ディスクリート部品が使用されており、プリント配線板に半田付けされている。
【０００９】
器体は、ボディと、カバーと、化粧カバーと、銘板とから構成される。銘板は化粧カバーの前面に超音波熱着され、化粧カバーはカバーの外側に取り付けられる。前記２種の表示素子の先端部は、器体のカバーの底壁に設けられた差込孔に差し込まれている。
【先行技術文献】
【特許文献】
【００１０】
【特許文献１】特開２００１−８６５７７号公報
【発明の概要】
【発明が解決しようとする課題】
【００１１】
上述の特許文献１に示した遠隔監視制御システムの操作用端末器では、ディスクリートタイプの表示素子がプリント配線板に実装されている。前記表示素子は、リード部を手半田によって実装されている。したがって、作業効率が良くない。そこで、特許文献１の操作用端末器において、ディスクリートタイプの表示素子を表面実装型の表示素子に変更することが考えられる。しかしながら、表面実装型の表示素子は、ディスクリートタイプの表示素子よりも実装面からの高さが低い。つまり、表示素子の発光面から器体前面までの距離が遠くなってしまい、表示素子の視認性が確保され難くなってしまう。
【００１２】
本発明は、上記事由に鑑みて為されたものであり、作業性の向上と表示素子の視認性の向上を図ることができる端末器を提供することを目的とする。
【課題を解決するための手段】
【００１３】
本発明の端末器は、遠隔監視制御システムに用いられる端末器である。このシステムは、信号線を介して伝送処理装置に各別のアドレスを有する複数の端末器を接続し、スイッチの操作によって生成した操作データを前記端末器から前記伝送処理装置に伝送する。前記伝送処理装置は、前記操作データを基に生成した制御データを他の前記端末器に伝送して前記端末器に接続される負荷を制御する。前記操作データを伝送した端末器は、前記負荷の状態を基に前記スイッチに対応する表示素子を制御する。本発明の前記端末器は、器体と、前記器体に収納されるプリント配線板とを備える。前記プリント配線板は、前記スイッチと、前記表示素子とが実装される。前記器体は、前記表示素子と対向する位置に開口部が設けられる。且つ前記器体は、前記開口部と前記プリント配線板との間に隔壁が設けられる。前記隔壁は、両端が開口した筒状に形成される。前記隔壁は、一方の開口端が前記開口部と対向し、且つ他方の開口端が前記表示素子と対向することを特徴とする。
【００１４】
この端末器において、前記器体の外から前記開口部を塞ぎ、且つ前記表示素子の光が透過する保護カバーを備えることが好ましい。前記保護カバーは、透光性材料からなるベースと、前記ベースの一方の面に設けられた印刷層と、前記印刷層を覆う透光性のある保護層とを有することが好ましい。前記ベースは、前記印刷層との反対面に光を拡散させる拡散層が設けられることが好ましい。前記保護カバーは、前記拡散層側で前記器体に取り付けられていることが好ましい。
【発明の効果】
【００１５】
本発明の端末器は、表面実装型の表示素子を使用することで、作業効率の向上を図ることができるという効果がある。また、本発明の端末器は、プリント配線板とカバーとの間に表示素子を囲む筒状の隔壁が設けられていることで、表示素子から放射される光が隔壁内で反射されて、器体の開口部を通して外部へ放射される。したがって、本発明の端末器は、表面実装型の表示素子を使用しても、視認性の向上を図ることができるという効果がある。
【図面の簡単な説明】
【００１６】
【図１】本発明に係る端末器の実施形態を示す分解斜視図である。
【図２】同上の内部回路を示すブロック図である。
【図３】同上の要部の断面図である。
【図４】従来例の要部の断面図である。
【図５】同上における化粧カバー及び保護カバーの正面図である。
【図６】同上で用いられる保護カバーの一部省略した断面図である。
【図７】本実施形態の端末器が用いられる遠隔監視制御システムの概略構成図である。
【発明を実施するための形態】
【００１７】
以下、特許文献１に開示されている遠隔監視制御システムの操作用端末器に、本発明の技術思想を適応した実施形態について、詳細に説明する。ただし、本発明の技術思想が適用可能な端末器は本実施形態の操作用端末器に限定されない。
【００１８】
初めに、本実施形態の操作用端末器が用いられる遠隔監視制御システムについて、図７を参照して簡単に説明する。
【００１９】
遠隔監視制御システムは、伝送処理装置８１と、操作用端末器１と、制御用端末器８２とで構成される。伝送処理装置８１には、スイッチ４１の操作状態を監視する操作用端末器１と、負荷８２１を制御する複数個の制御用端末器８２とが２線式の信号線８３を介して接続される。操作用端末器１と、制御用端末器８２には、それぞれ固有のアドレスが設定され、このアドレスを用いて伝送処理装置８１が操作用端末器１と、制御用端末器８２とを個別に認識する。
【００２０】
伝送処理装置８１は、信号線８３を介して、操作用端末器１および制御用端末器８２との間で時分割多重式の伝送信号によりデータの送受信を行う。操作用端末器１は、後述するように複数のタクトスイッチからなるスイッチ４１と、各スイッチ４１に対応する１組の表面実装型の表示素子４２１，４２２とを備える。操作用端末器１は、いずれかのスイッチ４１が操作されると、前記伝送信号によって伝送処理装置８１に操作データを伝送する。
【００２１】
伝送処理装置８１は、操作用端末器１から操作データを受信すると、その操作用端末器１のアドレスを探索し、操作用端末器１のアドレスを獲得する。伝送処理装置８１は、操作用端末器１のアドレスおよびスイッチ４１の番号と、制御用端末器８２のアドレスおよび負荷８２１の番号との対応関係を記憶している。
【００２２】
伝送処理装置８１は、操作用端末器１のアドレスを獲得すると、操作されたスイッチ４１の番号に対応する負荷８２１を接続した制御用端末器８２に制御データを送信する。制御用端末器８２は、制御データを受信すると、制御データで指示された番号の負荷８２１を制御する。
【００２３】
制御用端末器８２は、制御データで指示された番号の負荷８２１の状態を伝送処理装置８１に伝送する。伝送処理装置８１は、操作データの伝送元である操作用端末器１に、負荷８２１の状態を伝送する。操作用端末器１は、操作されたスイッチ４１に対応した表示素子４２１，４２２の状態を制御（点灯、消灯）する。
【００２４】
次に、操作用端末器１の回路構成について、図２を参照して説明する。
【００２５】
操作用端末器１は、端末処理部１１、送受信回路部１２、スイッチ入力回路部１３、表示回路部１４などを備える。送受信回路部１２は、端子２を介して信号線８３に接続され、操作データや制御データなどを送受信する。スイッチ入力回路部１３は、スイッチ４１を備え、スイッチ４１が操作されたときに端末処理部１１へ伝える。端末処理部１１は、マイクロプロセッサを内蔵した専用の集積回路よりなる。端末処理部１１は、スイッチ入力回路部１３からスイッチ４１が操作をされたことが伝えられると、送受信回路部１２から信号線８３を介して伝送信号を送信して、伝送処理装置８１に通知する。表示回路部１４は、表示素子４２１，４２２を備える。端末処理部１１は、操作されたスイッチ４１に対応する番号の負荷８２１の制御状態を送受信回路部１２から信号線８３を介して受信する。端末処理部１１は、操作されたスイッチ４１に対応する表示素子４２１，４２２の点灯または消灯を表示回路部１４に伝える。
【００２６】
表示素子４２１は、赤色ＬＥＤからなり、負荷８２１の動作時に点灯する。表示素子４２２は、緑色ＬＥＤからなり、負荷８２１の非動作時に点灯する。表示素子４２１，４２２は、各スイッチ４１に対応しており、各スイッチ４１に対して１組設けられる。
【００２７】
続いて、操作用端末器１の構造について、図１を参照して説明する。ただし、以下の説明では、図１において上下左右前後の各方向を規定する。保護カバー７の構造について、図５と図６とを参照して説明する。
【００２８】
操作用端末器１は、端子２と、器体１０と、プリント配線板４と、化粧カバー６と、保護カバー７とを備える。
【００２９】
端子２は、端子板２１と、端子ねじ２２とで構成される。端子板２１は、金属材料により、主部２３と脚部２４とが一体に形成されている。主部２３は、略矩形に形成され、中心にねじ孔２５が設けられる。脚部２４は、主部２３の左右両側からそれぞれ主部２３のボディ３に取り付けられる面に対して垂直に設けられる。端子ねじ２２は、ねじ孔２５にねじ込まれることで端子２として構成される。端子２は、プリント配線板４と、伝送処理装置８１や制御用端末器８２と信号線８３を介して接続される。
【００３０】
器体１０は、ボディ３とカバー５で構成される。
【００３１】
ボディ３は、合成樹脂により前面が開口された略箱形に形成される。ボディ３の底壁には、１組の取付孔３１と凹部３２からなる端子取付部が２つ設けられる。すなわち、ボディ３の底壁の後面には、信号線８３を接続する２組の端子２が取り付けられる。取付孔３１は、上下方向に長い矩形に形成される。１組の取付孔３１の間には、円筒形状の凹部３２が設けられる。凹部３２は、ボディ３の底壁から前方へ突出する有底円筒形状に形成される。
【００３２】
ボディ３の底壁の前面には、６本のリブ３３が設けられている。ボディ３の中心付近のリブ３３を除く５本のリブ３３は、先端に段部３３１が設けられている。プリント配線板４は、段部３３１にはめ込まれることによって、左右方向に位置決めされる。また、プリント配線板４は、ボディ３に設けられた停止板３４によって、上下方向に位置決めされる。更に、プリント配線板４は、ボディ３の中心付近のリブ３３に設けられるねじ孔３３２にねじ止めされる。
【００３３】
プリント配線板４は、矩形に形成され、４個のスイッチ４１と、４組の表示素子４２１，４２２とが実装されている。表示素子４２１，４２２は、各スイッチ４１の上部に１組ずつ左右に実装されている。また、プリント配線板４は、後面に端末処理部１１、送受信回路部１２などが実装されている。
【００３４】
カバー５は、合成樹脂により後面が開口された略箱形に形成される。カバー５の底壁の前面には突出部５１が前方に突設されている。この突出部５１の前壁には、略長方形のハンドル５２が一体に形成されている。ハンドル５２は、プリント配線板４を設置した器体１０を組み立てた状態において、スイッチ４１の押釦４１１にそれぞれ対向して配置される。すなわち、ハンドル５２が押されることでスイッチ４１の押釦４１１が押操作される。
【００３５】
カバー５は、突出部５１の前壁に形成された各ハンドル５２の上部に１組の開口部５３を設ける。開口部５３は、プリント配線板４を設置した器体１０を組み立てた状態において、表示素子４２１，４２２に対向して配置される。
【００３６】
カバー５は、両端縁の４箇所に組立爪５５を備える。一方、ボディ３は、組立爪５５に対応して、左右両側面に４つの組立孔３５を備える。ボディ３とカバー５は、組立爪５５と組立孔３５が嵌め合わされて結合することで器体１０を構成する。
【００３７】
カバー５は、左右両側面にそれぞれ２対の係止爪５６を備える。カバー５は、これらの係止爪５６を用いて、取付枠（図示せず）に着脱自在に取り付けられる。なお、取付枠は従来周知であって、埋込型の配線器具を埋込配設するように構成される。
【００３８】
化粧カバー６は、合成樹脂により略矩形板状に形成され、４つのハンドル５２が各別に挿通される４つの開口部６１が上下に並べて設けられる。また、化粧カバー６は、カバー５の開口部５３に対向する位置に貫通孔６２を設ける。貫通孔６２は、化粧カバー６がカバー５に取り付けられた状態において、開口部５３と重なる位置に設けられる（図３参照）。
【００３９】
化粧カバー６は、背面の４箇所から垂直に設けられた引っ掛け片６３を備える。引っ掛け片６３は、カバー５の突出部５１の側面に設けられた突起部５７に引っ掛けられる。したがって、化粧カバー６は、カバー５の底壁の前方に突設された突起部５７の前面に着脱自在に取り付けられる。
【００４０】
化粧カバー６の前面に形成された凹部６４には、保護カバー７が取り付けられる。また、ネームカード（図示せず）は、ハンドル５２の前面に取り付けられ、保護カバー７とハンドル５２との間に挟み込まれる。
【００４１】
保護カバー７は、図６に示すように、ポリカーポネイトフィルム等の透光性材料により略矩形に形成されたベース７１と、印刷層７２と、保護層７３とから構成される。ベース７１は、一方の面に印刷層７２を設け、反対の面はマット加工が施される拡散層７１１を設ける。拡散層７１１は、マット加工によって多数の凹凸が形成され、表示素子４２１，４２２が放射する光を拡散する。保護層７３は、光を透過し、さらに印刷層７２を保護する。
【００４２】
保護カバー７は、拡散層７１１が化粧カバー６に超音波熱着されることにより、化粧カバー６に貼り付けられる。
【００４３】
最後に、本発明の特徴となるカバー５の構造について、図３を参照して説明する。また保護カバー７について、図６を参照して説明する。
【００４４】
特許文献１記載の従来例（操作用端末器）の表示素子９１では、図４に示すように、ディスクリートタイプのＬＥＤを使用しており、カバー９の開口部９２と表示素子９１の間に空間は存在しない。さらに、表示素子９１のレンズ部の先端９１１は、カバー９の開口部９２に差し込まれている。したがって、表示素子９１から放射された光は、従来例の保護カバー９３に覆われた状態で、容易に外側からの視認性を確保することが可能である。
【００４５】
一方、本実施形態における表示素子４２１，４２２では、図３に示すように、表面実装型のＬＥＤを使用しているため、開口部５３と表示素子４２１，４２２との間には、一定の距離を持つ空間が存在する。この状態では、表示素子４２１，４２２が放射する光は、カバー５とプリント配線板４との間で拡散してしまい、カバー５の外側からの視認性が確保し難い。
【００４６】
そこで、本実施形態では、視認性を確保するために、カバー５は、各表示素子４２１，４２２の回りを囲むような筒状の隔壁５４を備えている。隔壁５４は、開口部５３の周囲から後方に向かって、先端がプリント配線板４に近接した位置までの長さを有する構造をしている。すなわち、表示素子４２１，４２２から放射される光は、隔壁５４の内周面で反射され、開口部５３及び化粧カバー６の貫通孔６２を通してカバー５の前方へ放射される。その結果、器体１０の前方からの視認性が確保されやすくなる。
【００４７】
保護カバー７は、表示素子４２１，４２２から放射される光を拡散層７１１で拡散させる。拡散層７１１で拡散された光は、透光性のある保護層７３を透過して前方に放射される。したがって、操作用端末器１の外側からの視認性が確保される。また、保護カバー７は、各ハンドル５２の周囲の隙間や、貫通孔６２を覆うことによって外部からの異物の進入を防ぐことができる。
【００４８】
本実施形態の端末器（操作用端末器１）は、遠隔監視制御システムに用いられる端末器（操作用端末器１）である。このシステムは、信号線８３を介して伝送処理装置８１に各別のアドレスを有する複数の端末器（操作用端末器１）を接続し、スイッチ４１の操作によって生成した操作データは、端末器（操作用端末器１）から伝送処理装置８１に伝送される。伝送処理装置８１は、前記操作データを基に生成した制御データを他の端末器（制御用端末器８２）に伝送して端末器（制御用端末器８２）に接続される負荷８２１を制御する。前記操作データを伝送した端末器（操作用端末器１）は、負荷８２１の状態を基にスイッチ４１に対応する表示素子４２１，４２２を制御する。端末器（操作用端末器１）は、器体１０と、器体１０に収納されるプリント配線板４とを備える。プリント配線板４は、スイッチ４１と、表示素子４２１，４２２とが実装される。器体１０は、表示素子４２１，４２２と対向する位置に開口部５３が設けられる。且つ器体１０は、開口部５３とプリント配線板４との間に隔壁５４が設けられる。隔壁５４は、両端が開口した筒状に形成される。隔壁５４は、一方の開口端が開口部５３と対向し、且つ他方の開口端が表示素子４２１，４２２と対向する。
【００４９】
したがって、本実施形態の操作用端末器１は、表面実装型の表示素子４２１，４２２を使用することで、作業効率の向上を図ることができる。また、表示素子４２１，４２２が放射する光は、カバー５に設けられた隔壁５４内を通過することで、開口部５３まで導光され、視認性の向上を図ることができる。
【００５０】
また、本実施形態の端末器（操作用端末器１）は、器体１０の外から開口部５３を塞ぎ、且つ表示素子４２１，４２２の光が透過する保護カバー７を備えることが好ましい。保護カバー７は、透光性材料からなるベース７１と、ベース７１の一方の面に設けられた印刷層７２と、印刷層７２を覆う透光性のある保護層７３とを有することが好ましい。ベース７１は、印刷層７２との反対面に光を拡散させる拡散層７１１が設けられることが好ましい。保護カバー７は、拡散層７１１側で器体１０に取り付けられていることが好ましい。
【００５１】
したがって、本実施形態の操作用端末器１は、保護カバー７の拡散層７１１によって、表示素子４２１，４２２が放射する光を拡散し、保護層７３を透過して、操作用端末器１の前方からの視認性の向上を図ることができる。
【符号の説明】
【００５２】
１  操作用端末器
１０  器体
４  プリント配線板
４１  スイッチ
４２１  表示素子
４２２  表示素子
５３  開口部
５４  隔壁
【図１】
2015173346.tif 000003
【図２】
2015173346.tif 000004
【図３】
2015173346.tif 000005
【図４】
2015173346.tif 000006
【図５】
2015173346.tif 000007
【図６】
2015173346.tif 000008
【図７】
2015173346.tif 000009